(57)【要約】【課題】浴槽内の温浴用水の放射線量が常に一定の範囲内に維持されるようにした人工ラジウム温泉設備を提供する。【解決手段】温浴用水製造装置（１）と浴槽（３）とを供給管（５）を介して連結し、該温浴用水製造装置により製造された放射能を有する温浴用水を浴槽に供給するようにした人工ラジウム温泉設備において、該浴槽より出て再び該浴槽に戻る循環管（３１）を形成して温浴用水を該循環管により常時循環させ、該循環管には濾過装置（３５）と放射線量測定装置（３７）とを配設し、該放射線量測定装置が測定した温浴用水の放射線量が一定以下になったときに前記温浴用水製造装置から供給管を介して浴槽に新しい温浴用水を供給させることにより浴槽内の温浴用水の放射線量が常に一定の範囲内に維持されるようにしたことを特徴とする人工ラジウム温泉設備。【選択図】　図１
2004081405.tif 000002
【特許請求の範囲】
【請求項１】
温浴用水製造装置と浴槽とを供給管を介して連結し、該温浴用水製造装置により製造された放射能を有する温浴用水を浴槽に供給するようにした人工ラジウム温泉設備において、
該浴槽より出て再び該浴槽に戻る循環管を形成して温浴用水を該循環管により常時循環させ、該循環管には濾過装置と放射線量測定装置とを配設し、該放射線量測定装置が測定した温浴用水の放射線量が一定以下になったときに前記温浴用水製造装置から供給管を介して浴槽に新しい温浴用水を供給させることにより浴槽内の温浴用水の放射線量が常に一定の範囲内に維持されるようにしたことを特徴とする人工ラジウム温泉設備。
【請求項２】
前記放射線量が常に３〜１３マッヘの範囲内に維持されるようにしたことを特徴とする請求項１の人工ラジウム温泉設備。
【発明の詳細な説明】
【０００１】
【発明の属する技術分野】
本発明は人工ラジウム温泉設備に関するものである。なお、人工ラジウム温泉には人工ラドン温泉と人工トロン温泉とが含まれる。
【０００２】
【従来の技術】
特公昭６０−４７８５８号公報は放射能を有する温浴用水を人工的に製造する温浴用水製造装置を備えた人工ラジウム温泉設備を開示している。以下、この人工ラジウム温泉設備を「従来の人工ラジウム温泉設備」という。
【０００３】
従来の人工ラジウム温泉設備は、温浴用水製造装置と浴槽とを連結し、該温浴用水製造装置により製造された放射能を有する温浴用水を浴槽に供給するようにしてなるものである。
【０００４】
従来の人工ラジウム温泉設備における温浴用水製造装置は、
（イ）水と有機カルボン酸とを混合して抽出用有機カルボン酸水溶液を調整するための水溶液調整槽、
（ロ）ウラン又はトリウム含有放射性物質を充填した内槽、前記（イ）から供給される有機カルボン酸水溶液を貯蔵する外槽及びこの水溶液を外槽と内槽との間で循環させる機構を備えた前記放射性物質から壊変生成物を抽出するための抽出槽、及び
（ハ）前記（ロ）で得られた壊変生成物の抽出原液の温度、有機カルボン酸濃度、ｐＨ及び線量を浴用に適する条件に調整するための調整槽
を上記の順序で配管により連結してなるものである。
【０００５】
【発明が解決しようとする課題】
人工ラジウム温泉設備においては、多数人の入浴により、或いは温浴用水製造装置が製造した温浴用水を浴槽に供給した後の時間の経過により、浴槽内における温浴用水の放射線量が減少し、ラジウム温泉としての効果が失われる。
【０００６】
しかるに、上記従来の人工ラジウム温泉設備においては、浴槽内における温浴用水の放射線量を一定レベルに維持する手段が存在しない。従って従来の人工ラジウム温泉設備においては、多数人の入浴により、或いは温浴用水製造装置が製造した温浴用水を浴槽に供給した後の時間の経過により、浴槽内における温浴用水の放射線量が減少し、ラジウム温泉としての効果が失われるという問題が生じている。
【０００７】
本発明は、上記従来の人工ラジウム温泉設備におけるこのような問題を解決しようとしてなされたものである。
【０００８】
【課題を解決するための手段】
上記課題を解決するために、本発明は下記の人工ラジウム温泉設備を提供するものである。
【０００９】
（１）温浴用水製造装置と浴槽とを供給管を介して連結し、該温浴用水製造装置により製造された放射能を有する温浴用水を浴槽に供給するようにした人工ラジウム温泉設備において、
該浴槽より出て再び該浴槽に戻る循環管を形成して温浴用水を該循環管により常時循環させ、該循環管には濾過装置と放射線量測定装置とを配設し、該放射線量測定装置が測定した温浴用水の放射線量が一定以下になったときに前記温浴用水製造装置から供給管を介して浴槽に新しい温浴用水を供給させることにより浴槽内の温浴用水の放射線量が常に一定の範囲内に維持されるようにしたことを特徴とする人工ラジウム温泉設備（請求項１）。
【００１０】
（２）前記放射線量が常に３〜１３マッヘの範囲内に維持されるようにする（請求項２）。
【００１１】
【作用】
［請求項１の人工ラジウム温泉設備］
浴槽内の温浴用水は循環管により常時循環している。温浴用水は該循環管を循環する度に該循環管に配設された濾過装置により濾過され、汚れ等が除去される。
【００１２】
温浴用水は循環管に配設された放射線量測定装置により該温浴用水の放射線量が測定される。測定値が一定以下になったときに前記温浴用水製造装置から供給管を介して浴槽に新しい温浴用水を供給させることにより浴槽内の温浴用水の放射線量が常に一定の範囲内に維持される。従って、ラジウム温泉の効果は常時維持される。
【００１３】
［請求項２の人工ラジウム温泉設備］
浴槽内の温浴用水の放射線量は、常に３〜１３マッヘの範囲内に維持されるのであるが、この放射線量は天然の好ましいラジウム温泉の放射線量と同じである。
【００１４】
【発明の実施の形態】
次に、本発明の実施の形態を添付図面に従って説明する。
本発明による人工ラジウム温泉設備は、温浴用水製造装置１と浴槽３とを供給管５を介して連結し、該温浴用水製造装置１により製造された放射能を有する温浴用水を浴槽３に供給するようにしたものである点においては、上記従来の人工ラジウム温泉設備と共通する。
【００１５】
また、温浴用水製造装置１は、一例として、上記従来の人工ラジウム温泉設備における温浴用水製造装置と同様に、図２に示すように、
（イ）水と有機カルボン酸とを混合して抽出用有機カルボン酸水溶液を調整するための水溶液調整槽７、
（ロ）ウラン又はトリウム含有放射性物質を充填した内槽９、前記（イ）から供給される有機カルボン酸水溶液を貯蔵する外槽１１及びこの水溶液を外槽１１と内槽９との間で循環させる機構１３を備えた前記放射性物質から壊変生成物を抽出するための抽出槽１５、及び
（ハ）前記（ロ）で得られた壊変生成物の抽出原液の温度、有機カルボン酸濃度、ｐＨ及び線量を浴用に適する条件に調整するための調整槽１７
を上記の順序で配管により連結してなるものとする。
【００１６】
図２において、符号２１に示すものは給水管、符号２３は有機酸供給口、符号２５は原液を蓄える原液槽、符号２７は冷水又は熱水を供給する給水口、符号２９はｐＨ調節剤を供給する調節剤供給口である。
【００１７】
しかして、本発明においては、浴槽３より出て再び該浴槽３に戻る循環管３１を形成して温浴用水３３をポンプ３４等により循環管３１にて常時循環させる。
【００１８】
循環管３１には濾過装置３５と温浴用水の放射線量を測定する放射線量測定装置３７とを配設する。
【００１９】
放射線量測定装置３７が測定した温浴用水の放射線量が一定以下になったときに前記温浴用水製造装置１から供給管５を介して浴槽３に新しい温浴用水を供給させることにより浴槽３内の温浴用水３３の放射線量が常に一定の範囲内に維持されるようにする。
【００２０】
即ち、一例として、供給管５に弁３９を取り付け、放射線量測定装置３７が測定した温浴用水の放射線量が一定以下になったときには、該弁３９が自動的に開き、放射線量測定装置３７が測定した温浴用水の放射線量が一定以上になったときには該弁３９が自動的に閉じるように、放射線測定装置３７と弁３９とを電気的に関連させる。
【００２１】
温浴用水の放射線量は常に３〜１３マッヘの範囲内に維持されるようにすることが望ましい。
【００２２】
【発明の効果】
以上説明したように、温浴用水は循環管に配設された放射線量測定装置により該温浴用水の放射線量が測定され、測定値が一定以下になったときに前記温浴用水製造装置から供給管を介して浴槽に新しい温浴用水を供給させることにより浴槽内の温浴用水の放射線量が常に一定の範囲内に維持される。従って、ラジウム温泉の効果は常時維持される。
【図面の簡単な説明】
【図１】本発明による人工ラジウム温泉設備の一例を概略的に示す説明図である。
【図２】温浴用水製造装置の一例を概略的に示す説明図である。
【符号の説明】
１　温浴用水製造装置
３　浴槽
５　供給管
７　水溶液調整槽
９　内槽
１１　外槽
１３　循環させる機構
１５　抽出槽
１７　調整槽
２１　給水管
２３　有機酸供給口
２５　原液槽
２７　給水口
２９　調節剤供給口
３１　循環管
３３　温浴用水
３４　ポンプ
３５　濾過装置
３７　放射線量測定装置
３９　弁
【図１】
2004081405.tif 000003
【図２】
2004081405.tif 000004